(57)【要約】【課題】保守員や管理人が古いエレベータのかご内で監視カメラのレコーダを操作することができるようにすることを目的とする。【解決手段】管理人はカゴ１を１階に呼び出してカゴ扉５を戸閉させ、行先ボタン「１」３ａを長押しする。レコーダ制御装置１９は、カゴ１が１階で戸閉しているときに行先ボタン「１」３ａが長押しされた場合、操作盤３の操作モードを「かご操作モード」から「レコーダ操作モード」に切り替え、エレベータ制御装置４にエレベータの運行を休止させる。管理人は外部メモリ８を外部メモリ接続用コネクタ７ｂに接続し、監視画像を外部メモリ８にコピーする操作として戸閉ボタン３ｅを押下する。レコーダ制御装置１９は、戸閉ボタン３ｅが押下された場合、監視画像の外部メモリ８へのコピーをレコーダ７に命令する。【選択図】図１
2010047339.tif 000002
【特許請求の範囲】
【請求項１】
エレベータかごの操作に用いられる操作盤を備える前記エレベータかごに付属する特定の付属機器を制御するエレベータ付属機器制御装置であり、
前記操作盤への入力を操作情報として取得する操作情報取得部と、
前記操作情報取得部により取得された操作情報が所定の情報を示すか判定する操作判定部と、
前記操作判定部により前記操作情報が所定の情報を示すと判定された後に前記操作情報取得部により取得された操作情報に基づいて、前記付属機器を制御する付属機器制御部とを備えたことを特徴とするエレベータ付属機器制御装置。
【請求項２】
前記付属機器制御部は、前記エレベータかごが所定の状態であるときに前記操作判定部により前記操作情報が所定の情報を示すと判定された場合に、前記操作判定部により前記操作情報が所定の情報を示すと判定された後に前記操作情報取得部により取得された操作情報に基づいて、前記付属機器を制御する
ことを特徴とする請求項１記載のエレベータ付属機器制御装置。
【請求項３】
前記操作判定部により前記操作情報が所定の情報を示すと判定された場合、前記エレベータかごの運行を休止させる休止要求部
を備えたことを特徴とする請求項１〜請求項２いずれかに記載のエレベータ付属機器制御装置。
【請求項４】
前記操作盤を用いた前記付属機器の操作方法の説明を前記エレベータかご内に音声出力する音声説明部
を備えたことを特徴とする請求項１〜請求項３いずれかに記載のエレベータ付属機器制御装置。
【請求項５】
前記エレベータかごは、乗客が外部にいる人との通話に用いる通話装置を備え、
前記音声説明部は、前記通話装置に備わるスピーカから前記付属機器の操作方法の説明を音声出力する
ことを特徴とする請求項４記載のエレベータ付属機器制御装置。
【請求項６】
前記操作情報取得部により取得された操作情報が所定の第２の情報を示す場合、前記エレベータかごの外部にいる人を呼び出す呼出機器を起動させる呼出部
を備えたことを特徴とする請求項１〜請求項５いずれかに記載のエレベータ付属機器制御装置。
【請求項７】
請求項１〜請求項６いずれかに記載のエレベータ付属機器制御装置を備えたエレベータ装置。
【発明の詳細な説明】
【技術分野】
【０００１】
本発明は、例えば、エレベータかご内で行われた操作に応じて防犯カメラのレコーダを制御するエレベータ付属機器制御装置およびエレベータ装置に関するものである。
【背景技術】
【０００２】
エレベータ用防犯システムとして、エレベータかご内の監視カメラにより撮像された映像を記録するレコーダがエレベータかごの上部に設置され、保守員や管理人がエレベータかご内に設置されたタッチパネル付き表示器を用いてレコーダを操作するものがある（特許文献１）。
【特許文献１】２００４−６４３０６号公報
【発明の開示】
【発明が解決しようとする課題】
【０００３】
しかし、古いエレベータのほとんどのものにはタッチパネル付き表示器は備えられておらず、既設のエレベータにはタッチパネル付き表示器を利用してレコーダを操作することができないものが多い。
【０００４】
本発明は、例えば、保守員や管理人が古いエレベータのかご内で監視カメラのレコーダを操作することができるようにすることを目的とする。
【課題を解決するための手段】
【０００５】
本発明のエレベータ付属機器制御装置は、エレベータかごの操作に用いられる操作盤を備える前記エレベータかごに付属する特定の付属機器を制御するエレベータ付属機器制御装置であり、前記操作盤への入力を操作情報として取得する操作情報取得部と、前記操作情報取得部により取得された操作情報が所定の情報を示すか判定する操作判定部と、前記操作判定部により前記操作情報が所定の情報を示すと判定された後に前記操作情報取得部により取得された操作情報に基づいて、前記付属機器を制御する付属機器制御部とを備える。
【発明の効果】
【０００６】
本発明によれば、例えば、保守員や管理人は古いエレベータのかご内にも備わるエレベータ用の操作盤を操作することにより監視カメラのレコーダ（付属機器の一例）を操作することができる。
【発明を実施するための最良の形態】
【０００７】
実施の形態１．
エレベータかごに付属する付属機器（防犯カメラ、防犯カメラのレコーダ、空調機、照明機器など）をエレベータかご内から操作させることができるエレベータ装置およびエレベータ付属機器制御装置について説明する。
以下、防犯カメラのレコーダを操作させる方法について説明するが、防犯カメラのレコーダはエレベータかごに付属する付属機器の一例であり、以下に説明する方法によりその他の付属機器を操作させてもよい。
【０００８】
図１は、実施の形態１におけるエレベータ装置２０の構成図である。
実施の形態１におけるエレベータ装置２０の構成について、図１に基づいて以下に説明する。
【０００９】
エレベータ装置２０は、カゴ１、レコーダ７、エレベータ制御装置４、遠隔通信端末９およびレコーダ制御装置１９（エレベータ付属機器制御装置の一例）を備える。カゴ１、レコーダ７、エレベータ制御装置４、遠隔通信端末９およびレコーダ制御装置１９は信号線で接続され、信号線を介して互いに通信を行う。
【００１０】
カゴ１内にはカゴ扉５、操作盤３、非常通話装置２および防犯カメラ６が設置されている。カゴ扉５，操作盤３、非常通話装置２および防犯カメラ６はカゴ１の基本構成として旧式のカゴ１から最新式のカゴ１までほとんどのカゴ１に備わっていると考えられる。液晶ディスプレイ、タッチパネル、専用ボタンなど、レコーダ７を操作するためのその他の機器はカゴ１内に不要である。
操作盤３は、乗客その他の利用者により操作される装置であり、乗客がカゴ１を指定の行先階へ昇降させ、または、カゴ扉５を開閉させるために押下する操作ボタンを有する。以下、操作ボタンの押下を「操作盤３の操作」または「操作盤３に対する操作」という。利用者による操作盤３の操作は、利用者が押下する操作ボタンについての情報を操作盤３に入力することを意味する。
操作盤３が有する操作ボタンには、各階の階数が記された行先ボタン（３ａ、３ｂ、３ｃ）、「開」を示すマークが記された戸開ボタン３ｄおよび「閉」を示すマークが記された戸閉ボタン３ｅがある。
また、操作盤３は、内部に各機器のインタフェースが配置されるボックス３ｆを有する。ボックス３ｆ内に設置された外部メモリ接続用コネクタ７ｂは、外部メモリ８をレコーダ７に接続するためのインタフェースである。例えば、外部メモリ８はＵＳＢメモリであり、外部メモリ接続用コネクタ７ｂはＵＳＢコネクタである。
非常通話装置２は、乗客が監視センター１１にいるオペレータ（監視員）と通話するために用いる装置であり、スピーカ２ａ、マイク２ｂおよび呼び出しボタン２ｃを有する。
【００１１】
レコーダ７は、カゴ１に付属する付属機器の一例であり、カゴ１の上に設置され、防犯カメラ６により撮像されたカゴ１内の映像を画像データとしてハードディスク７ａに記録する録画装置である。以下、ハードディスク７ａに記録される画像データを「監視画像」という。
【００１２】
遠隔通信端末９は、カゴ１内の乗客と監視センター１１内のオペレータとの通話音声を伝送する装置であり、カゴ１内でマイク２ｂに入力された乗客の通話音声を音声信号で監視センター１１の監視端末１１ａ（呼出機器の一例）に伝送し、監視センター１１で監視端末１１ａに入力されたオペレータの通話音声を音声信号で非常通話装置２に伝送する。
【００１３】
実施の形態１におけるエレベータ装置２０には、操作盤３に対する操作がカゴ１に対する操作として扱われる「かご操作モード」の他に、操作盤３に対する操作がレコーダ７に対する操作として扱われる「レコーダ操作モード」がある。通常時、エレベータ装置２０は「かご操作モード」で稼働している。
【００１４】
レコーダ制御装置１９は、カゴ１の状態（現在位置している階、カゴ扉５の開閉状態など）が所定の状態であるときに操作盤３に対して所定の操作が行われた場合、操作盤３の操作モードを「かご操作モード」から「レコーダ操作モード」に切り替える。
そして、レコーダ制御装置１９は、「レコード操作モード」に切り替えた後に行われた操作盤３に対する操作に基づいてレコーダ７を制御する。
【００１５】
エレベータ制御装置４は、操作盤３の操作モードが「かご操作モード」である場合、押下された操作盤３の行先ボタンに応じてカゴ１を運行させる。また、操作盤３の操作モードが「かご操作モード」である場合、カゴ１のカゴ扉５は戸開ボタン３ｄまたは戸閉ボタン３ｅの押下時に開閉する。
また、操作盤３の操作モードが「レコーダ操作モード」である場合、エレベータ制御装置４はカゴ１の運行を休止し、行先ボタンが押下されてもカゴ１を運行させず、カゴ１のカゴ扉５は戸開ボタン３ｄおよび戸閉ボタン３ｅが押下されても開閉しない。
【００１６】
レコーダ制御装置１９は、ＣＰＵ２１およびメモリ２２を備え、以下で「〜部」として説明する各構成それぞれの処理をＣＰＵ２１を用いて実行する。各処理はプログラムとして予めメモリ２２に記憶され、ＣＰＵ２１はメモリ２２に記憶されているプログラムを実行して各構成を機能させる。また、メモリ２２には各構成の入出力データ、各処理で用いられる所定のデータ、各処理で生成されたデータ（例えば、計算結果や判定結果）などが記憶され、メモリ２２に記憶された各種データは各処理において用いられる。
また、エレベータ制御装置４、レコーダ７、遠隔通信端末９および監視端末１１ａは、レコーダ制御装置１９と同様に、ＣＰＵ２１およびメモリ２２を備え（図示省略）、以下で説明するそれぞれの処理をＣＰＵ２１およびメモリ２２を用いて実行する。
【００１７】
図２は、実施の形態１におけるレコーダ制御装置１９の機能構成図である。
実施の形態１におけるレコーダ制御装置１９の機能構成について、図２に基づいて以下に説明する。
【００１８】
ここで、エレベータ制御装置４は、カゴ１を昇降させることやカゴ扉５が開閉することなどによりカゴ１の状態が変化した場合、カゴ１の状態を示すカゴ状態情報４１をレコーダ制御装置１９に送信するものとする。
また、操作盤３の操作ボタンが押下された場合、押下された操作ボタンの情報（ボタンの識別情報、押下時間など）を示す信号（以下、ボタン入力信号という）が操作盤３からエレベータ制御装置４に出力され、エレベータ制御装置４はボタン入力信号により示される情報をボタン入力情報４２（操作情報の一例）としてレコーダ制御装置１９に送信するものとする。
【００１９】
レコーダ制御装置１９（エレベータ付属機器制御装置の一例）は、エレベータ通信部１９ｆ（操作情報取得部の一例）、操作判定部１９ｇ（付属機器制御部、休止要求部および呼出部の一例）およびレコーダ通信部１９ｉを備え、操作盤３に対する操作に基づいて操作盤３の操作モードを「かご操作モード」から「レコーダ操作モード」に切り替えると共にレコーダ７を制御する。
【００２０】
エレベータ通信部１９ｆは、カゴ状態情報４１およびボタン入力情報４２をエレベータ制御装置４から受信し、操作判定部１９ｇにより生成される操作モード切替要求４３をエレベータ制御装置４に送信する。
【００２１】
操作判定部１９ｇは、カゴ状態情報４１およびボタン入力情報４２に基づいて「かご操作モード」から「レコーダ操作モード」への切り替え要否を判定し、「レコーダ操作モード」に切り替える場合、エレベータ通信部１９ｆを介して操作モード切替要求４３をエレベータ制御装置４に送信し、エレベータ制御装置４にカゴ１の運行を休止させる。
さらに、操作判定部１９ｇは、「レコーダ操作モード」へ切り替え後にエレベータ通信部１９ｆにより受信されたボタン入力情報４２に基づいてレコーダ７に実行させる制御を特定し、レコーダ通信部１９ｉを介してレコーダ制御要求４５を送信してレコーダ７に特定の制御を実行させる。操作判定部１９ｇは、レコーダ通信部１９ｉがレコーダ７からレコーダ制御通知４６を受信した場合、レコーダ制御要求４５に基づく特定の制御が終了したと判定する。
そして、操作判定部１９ｇは、カゴ状態情報４１に基づいて「レコーダ操作モード」から「かご操作モード」への切り替え要否を判定し、「かご操作モード」に切り替える場合、エレベータ通信部１９ｆを介して操作モード切替要求４３をエレベータ制御装置４に送信し、エレベータ制御装置４にカゴ１の運行を再開させる。
【００２２】
レコーダ通信部１９ｉは、操作判定部１９ｇにより生成されたレコーダ制御要求４５をレコーダ７に送信し、レコーダ制御要求４５に基づく特定の制御が終了したことを示すレコーダ制御通知４６をレコーダ７から受信する。
【００２３】
図３は、実施の形態１におけるエレベータ装置２０のエレベータ制御方法を示すフローチャートである。
実施の形態１におけるエレベータ装置２０のエレベータ制御方法の概要について、図３に基づいて以下に説明する。
【００２４】
利用者（乗客、管理人）はカゴ１内で操作ボタンを押下して操作盤３を操作し（Ｓ１１０）、レコーダ制御装置１９は利用者による操作盤３の操作が操作モードを切り替える所定の操作であるか判定する（Ｓ１２０）。
操作盤３の操作が所定の操作でない場合（ＮＯ）、エレベータ制御装置４は操作盤３の操作に応じてカゴ１を運行し（Ｓ１３０）、操作盤３の操作が所定の操作である場合（ＹＥＳ）、レコーダ制御装置１９は操作盤３の操作に応じてレコーダ７を制御する（Ｓ１４０）。
【００２５】
図４は、実施の形態１における操作判定情報５１を示す図である。
実施の形態１における操作判定情報５１について図４に基づいて以下に説明する。
【００２６】
操作判定情報５１には、各制御に割り当てられたカゴ状態情報４１およびボタン入力情報４２の条件が設定されている。
操作判定情報５１は、レコーダ制御装置１９のメモリ２２に予め記憶される。
【００２７】
操作判定部１９ｇは、操作判定情報５１を参照してカゴ状態情報４１およびボタン入力情報４２に対応する制御を以下のように判定し、判定した制御を実行する。
【００２８】
（１）操作判定部１９ｇは、「行先ボタン「１」が長押しされた」ことをボタン入力情報４２が示し、且つ、「カゴ１が１階に位置して戸閉している」ことをカゴ状態情報４１が示す場合、操作盤３の操作モードを「かご操作モード」から「レコーダ操作モード」に切り替える。
（２）操作判定部１９ｇは、レコーダ操作モードにおいて操作メニューの選択時に「戸開ボタン３ｄが押下された」ことをボタン入力情報４２が示す場合、レコーダ７に録画を開始または停止させる。
（３）操作判定部１９ｇは、レコーダ操作モードにおいて操作メニューの選択時に「戸閉ボタン３ｅが押下された」ことをボタン入力情報４２が示す場合、操作メニューを「画像コピー」と判定する。さらに、操作判定部１９ｇは、コピー種別の選択時、「戸開ボタン３ｄが押下された」ことをボタン入力情報４２が示す場合、最近録画された最新の監視画像の外部メモリ８へのコピーをレコーダ７に命令し、「戸閉ボタン３ｅが押下された」ことをボタン入力情報４２が示す場合、指定期間に録画された監視画像の外部メモリ８へのコピーをレコーダ７に命令する。
（４）操作判定部１９ｇは、レコーダ操作モードにおいて操作メニューの選択時に「戸開ボタン３ｄと戸閉ボタン３ｅとが同時に押下された」ことをボタン入力情報４２が示す場合、操作盤３の操作モードを「レコーダ操作モード」から「かご操作モード」に切り替える。
【００２９】
その他に、操作判定部１９ｇは、レコーダ操作の権限の有無を判定するためのパスワード入力時や画像コピーの対象期間を特定するための日付入力時には、ボタン入力情報４２に基づいて以下のような判定を行う。
操作判定部１９ｇは、ある行先ボタンが押下された場合、押下されたその行先ボタンに示される階数が数値として入力されたと判定し、戸閉ボタン３ｅが押下された場合には数値「０（または、１０）」が入力されたと判定し、戸開ボタン３ｄが押下された場合にはそれまでに入力された１つまたは２つ以上の数値を入力パスワードまたは指定日付に決定する。
【００３０】
図４に示す操作判定情報５１は各制御に割り当てられるカゴ状態情報４１およびボタン入力情報４２の条件の一例であり、図４に示す条件とは異なる条件が各制御に割り当てられても構わない。
例えば、「操作モード切替」条件からカゴ状態情報４１の条件が外されても構わないし、各「操作モードメニュー」の条件にカゴ状態情報４１の条件が追加されても構わない。
【００３１】
図５は、実施の形態１における管理人のレコーダ操作方法を示すフローチャートである。
管理人がカゴ１内の操作盤３を用いてレコーダ７を操作するレコーダ操作方法について、図５に基づいて以下に説明する。
【００３２】
＜Ｓ２１１ａ〜Ｓ２１３ａ：操作モード切替処理＞
まず、カゴ１に設置されている防犯カメラ６のレコーダ７を操作したい管理人は操作盤３の操作モードを「レコーダ操作モード」に切り替える。
具体的には、管理人は１階のエレベータ乗場で乗場ボタンを押下して１階にカゴ１を呼び（Ｓ２１１ａ）、１階に到着したカゴ１に乗り込み、操作盤３の戸閉ボタン３ｅを押下してカゴ扉５を戸閉し（Ｓ２１２ａ）、戸閉したカゴ１内で操作盤３の行先ボタン「１」３ａを長押し（例えば、５秒間）する（Ｓ２１３ａ）。
【００３３】
＜Ｓ２２１ａ〜Ｓ２２２ａ：ログイン処理＞
「レコーダ操作モード」への切り替え後、管理人は操作盤３の各ボタンを押下してパスワード（暗証番号）を入力する。
例えば、登録パスワードが「１３２２」である場合、管理人は行先ボタンを「１」「３」「２」「２」の順で押下し、最後に戸開ボタン３ｄを押下して入力パスワードを確定させる（Ｓ２２１ａ）。登録パスワードと異なるパスワードを入力した場合、ログインが失敗するため、管理人はレコーダ７を操作することができない（Ｓ２２２ａ）。
【００３４】
＜Ｓ２３１ａ〜Ｓ２３４ａ：操作メニュー選択処理＞
ログイン成功後、管理人はレコーダ７の操作メニューを指定する。レコーダ７の操作メニューには「録画開始・停止」、「画像コピー」および「ログアウト」がある。
具体的には、管理人は、「録画開始・停止」を指定する場合（Ｓ２３１ａ）には戸開ボタン３ｄを押下し（Ｓ２３２ａ）、「画像コピー」を指定する場合（Ｓ２３１ａ）には戸閉ボタン３ｅを押下し（Ｓ２３３ａ）、「ログアウト」を指定する場合（Ｓ２３１ａ）には戸開ボタン３ｄと戸閉ボタン３ｅとを同時に押下する（Ｓ２３４ａ）。
【００３５】
＜Ｓ２４１ａ〜Ｓ２４６ａ：画像コピー処理＞
「画像コピー」を操作メニューに指定した場合、管理人は画像コピーの対象期間をコピー種別として指定し、指定した対象期間に録画された監視画像を外部メモリ８にコピーする。コピー種別には「最新」と「期間指定」がある。
具体的には、管理人は、操作盤３のボックス３ｆの扉を開けてボックス３ｆ内の外部メモリ接続用コネクタ７ｂに外部メモリ８を接続し（Ｓ２４１ａ）、画像コピーの対象期間をコピー種別として指定し（Ｓ２４２ａ〜Ｓ２４５ａ）、画像コピーの終了後に外部メモリ８を外部メモリ接続用コネクタ７ｂから取り外しボックス３ｆの扉を閉じる（Ｓ２４６ａ）。
管理人は、コピー種別として「期間指定」を指定する場合（Ｓ２４２ａ）、戸閉ボタン３ｅを押下し（Ｓ２４３ａ）、操作盤３の各ボタンを押下して対象期間の開始日と終了日とを入力する（Ｓ２４５ａ）。また、管理人は、コピー種別として「最新」を指定する場合（Ｓ２４２ａ）、戸開ボタン３ｄを押下する（Ｓ２４４ａ）。
Ｓ２４５ａでは戸閉ボタン３ｅの押下は数値「１０」の入力として認識され、複数回のボタンの押下は押下されたボタンに対応する数値を合計した値の入力として認識される。
【００３６】
図６は、実施の形態１における日付入力の一例を示す図である。
管理人は、画像コピーの対象期間として「１２月３０日（開始日）から３月２５日（終了日）」を指定する場合、図６に示す順序で操作盤３の操作ボタンを押下する。
“順序８”で開始日を入力し終えた後および“順序２０”で終了日を入力し終えた後、管理人は入力値を確定させる場合には戸開ボタン３ｄを押下し、日付を修正する場合には戸閉ボタン３ｅを押下した後に日付を入力し直す。
【００３７】
図７は、実施の形態１におけるレコーダ制御装置１９のレコーダ制御方法を示すフローチャートである。
レコーダ制御装置１９が、図５で説明した管理人による操作盤３の操作に基づいてレコーダ７を制御するレコーダ制御方法について、図７に基づいて以下に説明する。
【００３８】
＜Ｓ２１１ｂ〜Ｓ２１３ｂ：操作モード切替処理＞
レコーダ制御装置１９は、エレベータ制御装置４から送信されるカゴ状態情報４１およびボタン入力情報４２に基づいて、操作盤３の操作モードを「かご操作モード」から「レコーダ操作モード」へ切り替える。
以下に、レコーダ制御装置１９の操作モード切替処理（Ｓ２１１ｂ〜Ｓ２１３ｂ）の詳細について説明する。
【００３９】
レコーダ制御装置１９の操作判定部１９ｇはエレベータ通信部１９ｆがエレベータ制御装置４からボタン入力情報４２を受信した場合にボタン入力情報４２が「行先ボタン「１」３ａの長押し」（所定の情報の一例）を示すか判定し、ボタン入力情報４２が「行先ボタン「１」３ａの長押し」を示さない場合（ＮＯ）、レコーダ制御方法は終了する（Ｓ２１１ｂ）。
ボタン入力情報４２が「行先ボタン「１」３ａの長押し」を示す場合（ＹＥＳ）、操作判定部１９ｇは、エレベータ通信部１９ｆがエレベータ制御装置４から受信した最も新しいカゴ状態情報４１を参照し、「カゴ１が１階で戸閉中」であることをカゴ状態情報４１が示すか判定し、「カゴ１が１階で戸閉中」であることをカゴ状態情報４１が示さない場合（ＮＯ）、レコーダ制御方法は終了する。カゴ状態情報４１はエレベータ通信部１９ｆにより受信された際にメモリ２２に記憶されているものとする（Ｓ２１２ｂ）。
「カゴ１が１階で戸閉中」であることをカゴ状態情報４１が示す場合（ＹＥＳ）、操作判定部１９ｇは操作モード切替要求４３を生成し、生成した操作モード切替要求４３をエレベータ通信部１９ｆを介してエレベータ制御装置４に送信する。操作モード切替要求４３を受信したエレベータ制御装置４は操作盤３の操作モードを示す操作モード情報に「レコーダ操作モード」を示す情報を設定し、再び操作モード切替要求４３を受信するまでエレベータの運行を休止し、操作盤３が操作されてもカゴ１を昇降させない（Ｓ２２１ｂ）。
【００４０】
＜Ｓ２２１ｂ：ログイン処理＞
「レコーダ操作モード」への切り替え後、操作判定部１９ｇは、エレベータ通信部１９ｆがその後に受信したボタン入力情報４２に基づいて入力パスワードを特定し、入力パスワードが登録パスワードと一致する正しいパスワードであるか判定する。入力パスワードの特定方法は図４で説明した通りであり、登録パスワードは予めメモリ２２に記憶されているものとする。入力パスワードが正しくなかった場合（ＮＯ）、Ｓ２６１ｂにおいて操作判定部１９ｇは操作盤３の操作モードを「レコーダ操作モード」から「かご操作モード」に切り替え、レコーダ制御方法は終了する（Ｓ２２１ｂ）。
【００４１】
＜Ｓ２３１ｂ：操作メニュー選択処理＞
入力パスワードが正しかった場合（ＹＥＳ）、操作判定部１９ｇは、エレベータ通信部１９ｆが次に受信したボタン入力情報４２に基づいて操作メニューを判定する。
図４で説明したように、ボタン入力情報４２が「戸開ボタン３ｄの押下」を示す場合の操作メニューは「録画開始・停止」であり、ボタン入力情報４２が「戸閉ボタン３ｅの押下」を示す場合の操作メニューは「画像コピー」であり、ボタン入力情報４２が「戸開ボタン３ｄと戸閉ボタン３ｅとの両押し」を示す場合の操作メニューは「ログアウト」である。
【００４２】
＜Ｓ２４１ｂ〜Ｓ２４３ｂ：画像コピー処理＞
操作メニューが「画像コピー」である場合、レコーダ制御装置１９は対象期間の監視画像を外部メモリ８にコピーする。
以下に、レコーダ制御装置１９の画像コピー処理（Ｓ２４１ｂ〜Ｓ２４３ｂ）の詳細について説明する。
【００４３】
操作判定部１９ｇは、エレベータ通信部１９ｆが次に受信したボタン入力情報４２に基づいてコピー種別を判定する。図４で説明したように、ボタン入力情報４２が「戸開ボタン３ｄの押下」を示す場合のコピー種別は「期間指定」であり、ボタン入力情報４２が「戸閉ボタン３ｅの押下」を示す場合のコピー種別は「最新」である（Ｓ２４１ｂ）。
コピー種別が「期間指定」である場合、操作判定部１９ｇは、エレベータ通信部１９ｆがその後に受信したボタン入力情報４２に基づいて対象期間の開始日と終了日とを特定する。例えば、操作盤３の操作ボタンが図６に示す順序で押下された場合、操作判定部１９ｇは対象期間の開始日を「１２月３０日」と特定し、対象期間の終了日を「３月２５日」と特定する（Ｓ２４２ｂ）。
そして、操作判定部１９ｇは、コピー種別（対象期間を含む）を含んだレコーダ制御要求４５を生成し、レコーダ制御要求４５をレコーダ通信部１９ｉを介してレコーダ７に送信する。レコーダ制御要求４５を受信したレコーダ７はコピー種別に対応する対象期間に録画された監視画像をハードディスク７ａから取得し、取得した監視画像を操作盤３の外部メモリ接続用コネクタ７ｂに接続されている外部メモリ８にコピーする。例えば、コピー種別が「最新」である場合、レコーダ７は、ハードディスク７ａから監視画像を録画日時の最新のものから順に古いものにさかのぼりながら取得し、取得した順に監視画像を外部メモリ８の記憶容量がいっぱいになるまで外部メモリ８にコピーする。レコーダ７は画像コピーの終了時にレコーダ制御通知４６をレコーダ制御装置１９に送信する（Ｓ２４３ｂ）。
その後、処理はＳ２３１ｂに戻る。
【００４４】
＜Ｓ２５１ｂ：録画開始・停止処理＞
操作メニューが「録画開始・停止」である場合、操作判定部１９ｇは監視画像の録画開始・停止を要求するレコーダ制御要求４５を生成し、レコーダ制御要求４５をレコーダ通信部１９ｉを介してレコーダ７に送信する。レコーダ制御要求４５を受信したレコーダ７は監視画像の録画中であれば録画を停止し、監視画像の録画停止中であれば録画を開始する（Ｓ２５１ｂ）。
【００４５】
＜Ｓ２６１ｂ：ログアウト処理＞
操作メニューが「ログアウト」である場合、レコーダ制御装置１９は操作盤３の操作モードを「レコーダ操作モード」から「かご操作モード」へ切り替える。
具体的には、操作判定部１９ｇは操作モード切替要求４３を生成し、生成した操作モード切替要求４３をエレベータ通信部１９ｆを介してエレベータ制御装置４に送信する。操作モード切替要求４３を受信したエレベータ制御装置４は操作モード情報を「かご操作モード」に変更し、エレベータの運行を再開し、その後の操作盤３の操作に応じてカゴ１を昇降させる。
【００４６】
上記のように、レコーダ操作モード中はエレベータが休止状態となり、通常時のようにカゴ１を昇降動作させることはできない。しかし、管理者がエレベータの利用が少ない夜間（集合住宅であれば昼間など）にレコーダ操作を行えば、エレベータの運用に大きな影響が及ぶことはない。但し、レコーダ操作モード中に必ずエレベータを休止状態にしなければいけないわけではない。
また、上記では、画像コピーの対象期間がボタン入力情報４２に基づいて特定されているが、対象期間を示す情報を含む電子ファイル（コピー期間指定ファイル）が事前に外部メモリ８に記憶され、外部メモリ８に記憶されたコピー期間指定ファイルに基づいて画像コピーの対象期間が特定されてもよい。この場合、操作判定部１９ｇからレコーダ制御要求４５を受信したレコーダ７は外部メモリ接続用コネクタ７ｂに接続されている外部メモリ８からコピー期間指定ファイルを取得し、コピー期間指定ファイルで指定されている対象期間に録画された監視映像を外部メモリ８にコピーする。
【００４７】
実施の形態１において、以下のようなエレベータ装置２０について説明した。
エレベータ装置２０は、カゴ１内に防犯カメラ６が、カゴ１上に防犯カメラ６からの映像を記録するレコーダ７が設置されている。
カゴ１内からカゴ１上のレコーダ７が操作されるに際し、レコーダ７の操作に使用される入力機器（操作盤３）は、カゴ１内に設置され、且つ、通常はカゴ１の昇降時に使用され、且つ、画像表示機能を有していない。
操作盤３は古いエレベータであってもカゴ１内に備わっているため、実施の形態１で説明したエレベータ制御方法は大半の既設エレベータに適用できる。つまり、液晶ディスプレイ、タッチパネル、専用ボタンなどのレコーダ７を操作するためのその他の機器が設置されていなくても、管理者はカゴ１内からレコーダ７を操作することができる。
【００４８】
実施の形態２．
実施の形態２では、カゴ１内の非常通話装置２を利用してレコーダ操作を音声案内する形態について説明する。
以下、実施の形態１と異なる事項について主に説明し、説明を省略する事項は実施の形態１と同様であるものとする。
【００４９】
図８は、実施の形態２における遠隔通信端末９およびレコーダ制御装置１９の機能構成図である。
実施の形態２における遠隔通信端末９およびレコーダ制御装置１９の機能構成について、図８に基づいて以下に説明する。
【００５０】
遠隔通信端末９は、通話装置通信部９ａ、発呼部９ｂ、符号化部９ｃ、復号部９ｄおよび回線通信部９ｅを備え、カゴ１内の非常通話装置２と監視センター１１の監視端末１１ａとの間で乗客とオペレータとの通話音声を伝送する。以下、通話音声を伝送する処理を「通話通信処理」という。
通話装置通信部９ａは非常通話装置２との間で後述する呼出信号３１および音声信号３４を通信し、発呼部９ｂは監視センター１１の監視端末１１ａを発呼する発呼データ３２を生成し、符号化部９ｃは音声信号３４を符号化して音声データ３５を生成し、復号部９ｄは音声データ３５を音声信号３４に復号し、回線通信部９ｅは監視センター１１の監視端末１１ａとの間で後述する発呼信号３３および音声信号３４Ｌを通信する。
【００５１】
次に、「通話通信処理」における各構成の処理の詳細について説明する。
通話装置通信部９ａは、呼び出しボタン２ｃが押下されたときに非常通話装置２から呼出信号３１を入力され、呼出信号３１の入力を検出した場合に発呼部９ｂを起動させる。
発呼部９ｂは、通話装置通信部９ａから起動された場合、監視センター１１の監視端末１１ａに発呼するための発呼データ３２を生成し、生成した発呼データ３２を回線通信部９ｅに出力する。
回線通信部９ｅは、発呼部９ｂにより出力された発呼データ３２を回線網１０の回線種別に応じた信号（以下、発呼信号３３という）に変換し、発呼信号３３を回線網１０を介して監視センター１１の監視端末１１ａに送信する。
【００５２】
監視センター１１の監視端末１１ａは、遠隔通信端末９から発呼信号３３を受信した場合、カゴ１内の非常通話装置２との音声通信に用いる呼を確立し、非常通話装置２から着呼したことを呼出音を鳴らしてオペレータに通知する。
呼出音を聞いたオペレータは監視端末１１ａに備わる受話器を取り、カゴ１内の乗客と通話を行う。
監視端末１１ａは、オペレータが話す音声を受話器から入力し、入力した音声を所定のデータ形式に符号化し、符号化した音声（以下、音声データ３５という）を回線網１０の回線種別に応じた信号（以下、音声信号３４Ｌという）に変換し、変換により得られた音声信号３４Ｌを回線網１０を介して遠隔通信端末９に送信する。
【００５３】
遠隔通信端末９の回線通信部９ｅは、監視端末１１ａから音声信号３４Ｌを受信した場合、受信した音声信号３４Ｌから音声データ３５を取り出し、取り出した音声データ３５を復号部９ｄに出力する。
復号部９ｄは、回線通信部９ｅにより出力された音声データ３５を音声信号３４に変換し、音声信号３４を通話装置通信部９ａに出力する。
通話装置通信部９ａは、復号部９ｄにより出力された音声信号３４をカゴ１内の非常通話装置２に送信する。
【００５４】
非常通話装置２は、遠隔通信端末９から音声信号３４を受信した場合、音声信号３４に基づいて監視センター１１のオペレータの音声をスピーカ２ａで再生する。
また、非常通話装置２は、カゴ１内の乗客が話す音声をマイク２ｂで音声信号３４に変換して入力し、入力した音声信号３４を遠隔通信端末９に送信する。
【００５５】
通話装置通信部９ａは、非常通話装置２から音声信号３４を受信した場合、受信した音声信号３４を符号化部９ｃに出力する。
符号化部９ｃは、通話装置通信部９ａにより出力された音声信号３４を所定のデータ形式に符号化して音声データ３５を生成し、生成した音声データ３５を回線通信部９ｅに出力する。
回線通信部９ｅは、符号化部９ｃにより出力された音声データ３５を音声信号３４Ｌに変換し、変換により得られた音声信号３４Ｌを回線網１０を介して監視センター１１の監視端末１１ａに送信する。
【００５６】
監視センター１１の監視端末１１ａは、遠隔通信端末９から音声信号３４Ｌを受信した場合、受信した音声信号３４Ｌから音声データ３５を取り出し、取り出した音声データ３５を音声信号３４に変換し、変換により得られた音声信号３４に基づいてカゴ１内の乗客の音声をスピーカで再生する。
【００５７】
レコーダ制御装置１９は、実施の形態１で説明した構成に加え、メッセージ読出部１９ｈ（音声説明部の一例）を備える。
メッセージ読出部１９ｈは、操作判定部１９ｇから出力されるメッセージ読出要求４４に対応する音声メッセージをメモリ２２から取得し、取得した音声メッセージを音声データ３５として遠隔通信端末９の復号部９ｄに出力する。
【００５８】
操作判定部１９ｇは、ログイン処理時（図７のＳ２２１ｂの前）、操作メニュー選択処理時（図７のＳ２３１ｂの前）、画像コピー処理時（図７のＳ２４１ｂの前）などに、特定の音声メッセージを指定する識別情報を含めてメッセージ読出要求４４をメッセージ読出部１９ｈに出力する。
音声メッセージの内容はレコーダの操作方法を説明する音声案内であり、音声メッセージは識別情報と対応付けられてメモリ２２に予め記憶されているものとする。
メッセージ読出部１９ｈにより音声データ３５が出力された場合、復号部９ｄは音声データ３５に基づいて音声信号３４を生成し、通話装置通信部９ａは音声信号３４をカゴ１内の非常通話装置２に送信する。
カゴ１内の非常通話装置２は、通話装置通信部９ａから受信した音声信号３４に基づいて音声メッセージをスピーカ２ａから出力し、レコーダの操作方法を音声案内する。
【００５９】
図９は、実施の形態２におけるレコーダ操作の音声案内の一例を示す図である。
例えば、図９に示すような音声案内が行われる。
【００６０】
実施の形態２では、以下のようなエレベータ装置２０について説明した。
カゴ１内からカゴ１上のレコーダ７が操作されるに際し、エレベータ装置２０（特に、レコーダ制御装置１９）は、カゴ１内の非常通話装置２（本来は、閉じ込め発生等の緊急時における監視センター１１との通話に使用される）のスピーカ２ａからレコーダ操作の音声案内を流す。
これにより、レコーダ操作に使用する入力機器（操作盤３）には画像表示等の操作補助機能を付加する必要が無く、通常の行先ボタンを備える単純な構成の入力機器を利用することができる。
【００６１】
実施の形態３．
実施の形態３では、不正なレコーダ操作が行われた場合に監視センター１１への通報が行われる形態の一例として、ログインが失敗した場合について説明する。
以下、実施の形態１〜２と異なる事項について主に説明し、説明を省略する事項は実施の形態１〜２と同様であるものとする。
【００６２】
図１０は、実施の形態３における管理人のログイン処理を示すフローチャートである。
実施の形態３における管理人のログイン処理について、図１０に基づいて以下に説明する。
【００６３】
管理人は操作盤３の各ボタンを押下してパスワードを入力し（Ｓ２２１ａ）、ログイン成功時にはログイン処理を終了し、ログイン失敗時にはＳ２２１ａにおいてパスワードを再入力する。管理人はログイン成功またはログイン失敗を非常通話装置２から出力される音声案内によって知る（Ｓ２２２ａ）。
Ｓ２２２ａにおいてログイン失敗が所定の回数（例えば、３回）繰り返された場合（入力エラー時）、カゴ１内の非常通話装置２と監視センター１１の監視端末１１ａ（呼出機器の一例）との間で呼が確立され、管理人は非常通話装置２を用いて監視センター１１のオペレータと通話する（Ｓ２２３ａ）。
オペレータとの通話により正しいパスワードを知らされた場合（ＹＥＳ）、管理人は教えられた正しいパスワードをＳ２２１ａにおいて再入力して、ログインを再度試みる。オペレータとの通話により正しいパスワードを知らされなかった場合（ＮＯ）、管理人はログインすることができず、ログイン処理を終了する（Ｓ２２４ａ）。
【００６４】
図１１は、実施の形態３におけるレコーダ制御装置１９のログイン処理を示すフローチャートである。
実施の形態３におけるレコーダ制御装置１９のログイン処理について、図１１に基づいて以下に説明する。
【００６５】
操作判定部１９ｇはパスワードの入力を要求する音声案内を非常通話装置２から出力し、入力パスワードが登録パスワード（≠非登録パスワード［所定の第２の情報の一例］）と一致する正しいパスワードか判定する。入力パスワードが正しい場合（ＹＥＳ）、操作判定部１９ｇはログインが成功した旨の音声案内を非常通話装置２から出力してログイン処理を終了する（Ｓ２２１ｂ）。
入力パスワードが正しくない場合（ＮＯ）、操作判定部１９ｇはパスワードの入力が所定の回数「３」以上行われたか判定する。入力回数が「３」未満である場合（ＮＯ）、操作判定部１９ｇはログインが失敗した旨の音声案内を非常通話装置２から出力し、Ｓ２２１ｂにおいて再入力されたパスワードの判定を行う（Ｓ２２２ｂ）。
Ｓ２２２ｂにおいて入力回数が「３」以上である場合（ＹＥＳ）、操作判定部１９ｇ（呼出部の一例）は遠隔通信端末９に監視端末１１ａ（呼出機器の一例）の発呼を要求し、遠隔通信端末９の発呼部９ｂは監視端末１１ａに発呼して監視端末１１ａを呼び出し、監視端末１１ａは非常通話装置２との呼を確立し、遠隔通信端末９はカゴ１内の管理人と監視センター１１のオペレータとの通話を中継する（Ｓ２２３ｂ）。
【００６６】
上記では、ログインの連続失敗をレコーダ制御装置１９で検知して監視センター１１に自動通報しているが、ログイン後の誤操作をレコーダ制御装置１９が検知して監視センター１１に自動通報してもよい。自動通報を行う条件は、管理人の支援や犯罪防止の観点から適宜に設定するとよい。
また上記では、監視センター１１のオペレータは、音声通話でのみ操作者（管理人または不正者）を確認することになる。そこで、遠隔通信端末９が音声と共に監視映像を監視端末１１ａに送信することにより、監視センター１１のオペレータに操作者をより確実に特定させ、また、カゴ１内の異常有無を確認させてもよい。
【００６７】
遠隔通信端末９やレコーダ制御装置１９は、１個の部品や装置として構成される必要はなく、１つの機能を複数の部品や装置で構成しても、複数の機能を１個の部品や装置で構成してもよい。
また、遠隔通信端末９やレコーダ制御装置１９の一部の機能をこれと接続される周辺機器（非常通話装置２、エレベータ制御装置４、レコーダ７等）側に実装してもよいし、遠隔通信端末９やレコーダ制御装置１９の全機能を周辺機器に実装して両者が機器として一体化した構成であってもよい。
【００６８】
実施の形態３において、以下のようなエレベータ装置２０について説明した。
カゴ１内からカゴ１上のレコーダ７が操作されるに際し、エレベータ装置２０（特に、レコーダ制御装置１９）は、その操作内容に異常があることを検知したら、自動的に監視センター１１に通報する。
これにより、操作者の利便性向上や犯罪者によるレコーダ操作の防止といった効果を奏することができる。
【図面の簡単な説明】
【００６９】
【図１】実施の形態１におけるエレベータ装置２０の構成図。
【図２】実施の形態１におけるレコーダ制御装置１９の機能構成図。
【図３】実施の形態１におけるエレベータ装置２０のエレベータ制御方法を示すフローチャート。
【図４】実施の形態１における操作判定情報５１を示す図。
【図５】実施の形態１における管理人のレコーダ操作方法を示すフローチャート。
【図６】実施の形態１における日付入力の一例を示す図。
【図７】実施の形態１におけるレコーダ制御装置１９のレコーダ制御方法を示すフローチャート。
【図８】実施の形態２における遠隔通信端末９およびレコーダ制御装置１９の機能構成図。
【図９】実施の形態２におけるレコーダ操作の音声案内の一例を示す図。
【図１０】実施の形態３における管理人のログイン処理を示すフローチャート。
【図１１】実施の形態３におけるレコーダ制御装置１９のログイン処理を示すフローチャート。
【符号の説明】
【００７０】
１  カゴ、２  非常通話装置、２ａ  スピーカ、２ｂ  マイク、２ｃ  呼び出しボタン、３  操作盤、３ａ  行先ボタン「１」、３ｂ  行先ボタン「２」、３ｃ  行先ボタン「３」、３ｄ  戸開ボタン、３ｅ  戸閉ボタン、３ｆ  ボックス、４  エレベータ制御装置、５  カゴ扉、６  防犯カメラ、７  レコーダ、７ａ  ハードディスク、７ｂ  外部メモリ接続用コネクタ、８  外部メモリ、９  遠隔通信端末、９ａ  通話装置通信部、９ｂ  発呼部、９ｃ  符号化部、９ｄ  復号部、９ｅ  回線通信部、１０  回線網、１１  監視センター、１１ａ  監視端末、１９  レコーダ制御装置、１９ｆ  エレベータ通信部、１９ｇ  操作判定部、１９ｈ  メッセージ読出部、１９ｉ  レコーダ通信部、２０  エレベータ装置、２１  ＣＰＵ、２２  メモリ、３１  呼出信号、３２  発呼データ、３３  発呼信号、３４，３４Ｌ  音声信号、３５  音声データ、４１  カゴ状態情報、４２  ボタン入力情報、４３  操作モード切替要求、４４  メッセージ読出要求、４５  レコーダ制御要求、４６  レコーダ制御通知、５１  操作判定情報。
【図１】
2010047339.tif 000003
【図２】
2010047339.tif 000004
【図３】
2010047339.tif 000005
【図４】
2010047339.tif 000006
【図５】
2010047339.tif 000007
【図６】
2010047339.tif 000008
【図７】
2010047339.tif 000009
【図８】
2010047339.tif 000010
【図９】
2010047339.tif 000011
【図１０】
2010047339.tif 000012
【図１１】
2010047339.tif 000013